(57)【要約】【課題】ユーザが必要とする情報を容易に取出すことができるライフログ記録装置を提供する。【解決手段】ユーザの移動経路情報、運動状態情報、生命状況情報、及び移動中の周囲環境情報の中の少なくとも１つを記録するライフログ記録装置(100)において、前記移動経路情報、前記運動状態情報、前記生命状況情報、及び前記周囲環境情報の中の少なくとも１つを検出する検出部(110)と、前記検出部により検出された各種情報を記憶する記憶部(150)と、前記検出部により検出された各種情報に基づいて特異な状況を判別する特異状況判別部(130)と、前記特異状況判別部により特異な状況であると判別された場合に、前記記憶部において記憶されている前記各種情報に対して重要度に関する情報を付加する重要度付加部(130)とを備える。【選択図】図１
2010279638.tif 000002
【特許請求の範囲】
【請求項１】
ユーザの移動経路情報、運動状態情報、生命状況情報、及び移動中の周囲環境情報の中の少なくとも１つを記録するライフログ記録装置において、
前記移動経路情報、前記運動状態情報、前記生命状況情報、及び前記周囲環境情報の中の少なくとも１つを検出する検出部と、
前記検出部により検出された各種情報を記憶する記憶部と、
前記検出部により検出された各種情報に基づいて特異な状況を判別する特異状況判別部と、
前記特異状況判別部により特異な状況であると判別された場合に、前記記憶部において記憶されている前記各種情報に対して重要度に関する情報を付加する重要度付加部と、
を備えることを特徴とするライフログ記録装置。
【請求項２】
前記特異状況判別部は、前記移動経路情報における特異な状況を判別することを特徴とする請求項１記載のライフログ記録装置。
【請求項３】
前記特異状況判別部は、前記運動状態情報のうちの少なくとも１つにおける特異な状況を判別することを特徴とする請求項１記載のライフログ記録装置。
【請求項４】
前記特異状況判別部は、前記生命状況情報のうちの少なくとも１つにおける特異な状況を判別すること特徴とする請求項１記載のライフログ記録装置。
【請求項５】
前記特異状況判別部は、前記周囲環境情報のうちの少なくとも１つにおける特異な状況を判別することを特徴とする請求項１記載のライフログ記録装置。
【請求項６】
前記特異状況判別部は、前記移動経路情報、前記運動状態情報、前記生命状況情報及び前記周囲環境情報のうちの少なくとも１つを用いて特異な状況を判別することを特徴とする請求項１記載のライフログ記録装置。
【発明の詳細な説明】
【技術分野】
【０００１】
本発明は、日常生活で生じる情報を記録するライフログ記録装置に関するものである。
【背景技術】
【０００２】
従来、ユーザが見たり、聞いたり、移動した場所、そして感じた感情など日常生活で生じる様々な情報をデジタルデータとして記録し、データベース化して記録するライフログ記録装置が存在する。例えば特許文献１には、ユーザの心理状態に応じて撮影条件を設定し自動撮像を行う撮像装置が開示されている。
【先行技術文献】
【特許文献】
【０００３】
【特許文献１】特開２００９−４９９５１号公報
【発明の概要】
【発明が解決しようとする課題】
【０００４】
ライフログ記録装置により記録された情報は、ユーザがそのデータを用いて出来事、経験をトレースするために利用されるが、情報量が膨大となることから必要な情報を取出すことが困難である。
【０００５】
本発明の目的は、ユーザが必要とする情報を容易に取出すことができるライフログ記録装置を提供することである。
【課題を解決するための手段】
【０００６】
本発明のライフログ記録装置は、ユーザの移動経路情報、運動状態情報、生命状況情報、及び移動中の周囲環境情報の中の少なくとも１つを記録するライフログ記録装置において、前記移動経路情報、前記運動状態情報、前記生命状況情報、及び前記周囲環境情報の中の少なくとも１つを検出する検出部と、前記検出部により検出された各種情報を記憶する記憶部と、前記検出部により検出された各種情報に基づいて特異な状況を判別する特異状況判別部と、前記特異状況判別部により特異な状況であると判別された場合に、前記記憶部において記憶されている前記各種情報に対して重要度に関する情報を付加する重要度付加部と、を備えることを特徴とする。
【発明の効果】
【０００７】
本発明によれば、ユーザが必要とする情報を容易に取出すことができるライフログ記録装置を提供することができる。
【図面の簡単な説明】
【０００８】
【図１】実施形態に係るライフログ記録装置のブロック構成図である。
【図２】第１の実施形態に係るユーザの移動経路における特異な状況の例を示す図である。
【図３】第１の実施形態に係るユーザの移動経路における特異な状況に対応してデータに付加する電子的な印の例を示す図である。
【図４】第２の実施形態に係るユーザの運動状態における特異な状況及びデータに付加する電子的な印の例を示す図である。
【図５】第３の実施形態に係るユーザのバイタルサインおける特異な状況及びデータに付加する電子的な印の例を示す図である。
【図６】第４の実施形態に係るユーザの周囲環境情報おける特異な状況及びデータに付加する電子的な印の例を示す図である。
【発明を実施するための形態】
【０００９】
以下、図面を参照して、本発明の実施形態に係るライフログ記録装置について説明する。
【００１０】
［第１の実施形態］
図１は、本発明の第１の実施形態に係るライフログ記録装置（100）のブロック構成図である。ライフログ記録装置（100）は、ユーザが見たり、聞いたり、移動した場所、そして感じた感情など日常生活で生じるあらゆる情報を取得するための複数種類のセンサー群から構成されるセンサー部（110）、センサー部（110）からデータを取得して処理を行う情報処理部（130)、記録の開始／終了などの動作モードや希望する再生内容を選択する等の指令を入力する指令入力部（120)、装置に内蔵されている液晶パネル等の出力装置（図示せず）、有線または無線によって接続される装置外のテレビ等、及び無線ＬＡＮやWiMax、３Ｇ携帯電話等の通信手段を用いてインターネット等の外部情報網へアクセスし必要なデータを入出力する外部入出力部（140)、処理されたデータを記録する記録部（150）を備えている。
【００１１】
ここでセンサー部（110）は、測位情報センサー(111)、運動状態センサー（112）、生命状況（バイタルサイン）センサー（113）及び周囲環境センサー（114）を備えている。
【００１２】
測位情報センサー(111)は、ユーザの移動経路情報を取得するためのＧＰＳ(Global Positioning System)、ユーザの体が向いた方位角を取得するための地磁気方位角センサー、ユーザの上下方向の移動を微小な気圧の変動から測定するための気圧センサー等を含んでいる。また、運動状態センサー（112）は、加速度センサー等のユーザの運動情報を取得できるセンサーを含んでいる。また、生命状況（バイタルサイン）センサー（113）は、ユーザの心拍数などを測定する脈拍センサー等を含んでいる。更に、周囲環境センサー（114）は、ユーザの見た映像をセンシングするための映像取得センサー、ユーザの聞いた音をセンシングするための音響センサー、ユーザが感じた気温、湿度などをセンシングするための温・湿度センサー等を含んでいる。
【００１３】
指令入力部（120）は、ライフログ記録装置（100）における記録の開始／終了などの動作モードや希望する再生内容を選択するなどの装置動作に関する指令などをユーザが情 報処理部（130）に伝える機能を有する。
【００１４】
情報処理部（130）は、前述のセンサー部（110）からのデータに関してノイズ処理などの前処理や、情報取得時刻ごとに各センサーのデータをまとめるなどのデータ整理を行う。更に、データの信頼性を判断し間違ったデータは破棄を行うなどの事前情報処理を行うと共に、ユーザがデータを取り出す際に有用な電子的な印（タグ）を付加し、後述する記録部（150）へ送る記録用情報処理機能、さらに、この電子的な印（タグ）を付加するに当たってセンサー部（110）からの情報だけでなく、後述する外部入出力部（140）を介して外部のインターネットなどの外部情報網上のデータベースから入手した情報を使用して付加することも可能である。また、記録部（150）から必要なデータを取り出し、ユーザに有用な表現形式などへ変換し、後述する外部入出力部（140）へデータを受け渡すなどの再生情報処理機能を有する。
【００１５】
また記録部（150）は、前述の情報処理部（130）からのデータを記録メモリに格納する機能や、情報処理部（130）からの指令に基づき、必要なデータを取り出して、情報処理部（130）に送る機能や、外部入出力部（140）を通じて入手、または最初から記録されているデータベースからランドマーク等の位置、名称などを必要に応じて情報処理部（130）へ出力する機能を有する。
【００１６】
次に、記録されたデータの中から必要なデータを取り出す時に用いる電子的な印がついたユーザの移動経路情報、運動状態情報、生命状況（バイタルサイン）情報、移動中の周囲環境情報の記録データの作成方法について説明する。
【００１７】
図２は、本発明の第１の実施形態に係るユーザの移動経路情報における特異な状況を説明するめの図である。ユーザが図２に簡易的に示された市街地を移動する状況を想定し、その中で情報の重要度を判断する基準として上げられる移動経路の例を示している。
【００１８】
測位情報センサー(111)により取得された位置情報などから、ユーザが有名な交差点や有名な建造物などのランドマーク付近にいると判断されたとき（201)、ユーザはそこにあるランドマーク等に注目している事が多いと考えられる。よってその時刻を中心とした設定された時間中に習得される運動状態情報、生命状況（バイタルサイン）情報、移動中の周囲環境情報に対して情報処理部（130）は重要であると判断し記録された情報に後でユーザが取り出す際に有用な電子的な印を付加する。この際、付加する電子的な印の例としては、その測位座標などによって特定され、記録部（150）に格納されたデータベースより読み出されたランドマークの名称などが考えられる。
【００１９】
また、測位情報センサー(111)により取得された位置情報などから、ユーザがある一定の場所に留まっていると判断されたとき（202)、ユーザの移動経路において急激な速度変化や運動方向の変化が起きたと判断されたとき（203)、目的地付近ではない地域での路地などへの侵入（204)、Ｕターン等の異常経路を選択したと判断されたとき（205）等の現象がユーザ移動経路において起きたときは、ユーザはその場所にて何らかの特殊な状況にある事が多いと考えられる。よってその時刻を中心とした設定された時間中に習得される運動状態情報、生命状況（バイタルサイン）情報、移動中の周囲環境情報に対して情報処理部（130）は重要であると判断し記録された情報に後でユーザが取り出す際に有用な電子的な印を付加する。この際、付加する電子的な印の例としてはユーザが見ていた映像から加工されたデータや、ユーザが聞いていた音響から加工されたデータなどが考えられる。
【００２０】
また、ユーザの移動経路において今までの街路部での移動から建物などの建造物内部へ侵入したとき（206）は、ユーザは何らかの目的を持ってその場所を選択して進入している事が多いと考えられる。よってその時刻を中心とした設定された時間中に習得される運動状態情報、生命状況（バイタルサイン）情報、移動中の周囲環境情報に対して情報処理部（130）は重要であると判断し記録された情報に後でユーザが取り出す際に有用な電子的な印を付加する。この際、付加する電子的な印の例としては、建物の立っている場所の測位座標などによって特定され、記録部（150）に格納されたデータベースより読み出す方法や、外部入出力部（140）によりインターネットなどの外部情報網から取得する方法にて特定された建造物の名称、建造物に入居している施設、商店などの名称、さらにはその商店などが扱っている商品などの情報が考えられる。
【００２１】
さらに、ユーザの移動経路において建物内部においてエスカレータ、エレベータなどの徒歩以外の移動手段にて移動したとき（207）は、ユーザはある目的を持って建物内において特定の場所へ移動して、目的を達成するために移動している事が多いと考えられる。よって、その時刻を中心とした設定された時間中に習得されるユーザの移動経路情報、運動状態情報、生命状況（バイタルサイン）情報、移動中の周囲環境情報に対して情報処理部（130）は重要であると判断し記録された情報に後でユーザが取り出す際に有用な電子的な印を付加する。この際、付加する電子的な印の例としては、移動手段として選択した移動方法の名称や、移動先の施設、商店などの名称、さらにはその商店などが扱っている商品などの情報が考えられる。
【００２２】
図３はこれらの方法によって作成された電子的な印の例（301〜307）を表している。ユーザはこれにより自身の移動経路に深く結び付けられたキーワードを参考にして、外部入出力部（140）を介して必要なデータ（例えば、外出先でなにか特別な経験をしたときの風景）を取り出すことが可能になる。
【００２３】
［第２の実施形態］
図４は、本発明の第２の実施形態に係るユーザの運動状態情報における特異な状況を説明するための図である。なお、第２の実施形態においても第１の実施形態で説明したライフログ記録装置（100）を用いるが、運動状態センサー（112）には、３軸の互いに直行する座標系の加速度を測定する加速度センサーを備えている。これらの加速度センサーをユーザに取り付け、それからのデータに基づいてユーザの運動状態の把握を行うことは参考文献（ウェアラブルセンサによる人体動作の計測と行動モードの識別：地理空間情報フォーラム学生フォーラム２００４投稿論文）等に示されている。
【００２４】
運動状態センサー（112）よって測定されたユーザの運動状態を測定された時系列に並べたものが図４である。“歩行”、“エレベータ”（401）などが測定されたユーザの運動状態、“t１”，“t2”（402）などは運動状態がそれまでの状態から切り替わった時刻である。このような状況があった場合に、運動状態などがそれまでとは切り替わった時刻は、ユーザにとって後で取り出す事が多いデータを含んでいる事が多いと考えられる。よってその時刻を中心とした設定された時間中に習得されるユーザの移動経路情報、運動状態情報、生命状況（バイタルサイン）情報、移動中の周囲環境情報に対して情報処理部（130）は重要であると判断し記録された情報に後でユーザが取り出す際に有用な電子的な印を図４の運動状態名称などを基にして決定し付加する。
【００２５】
ユーザはこれにより自身の運動状態に深く結び付けられたキーワードを参考にして、外部入出力部（140）を介して必要なデータ（例えば、外出先でなにか特別な経験をしたときの風景）を取り出すことが可能になる。
【００２６】
［第３の実施形態］
図５は、本発明の第３の実施形態に係るユーザの生命状況（バイタルサイン）における特異な状況を説明するための図である。なお、第３の実施形態においても第１の実施形態で説明したライフログ記録装置（100）を用いる。バイタルサインセンサー（113）の脈拍計の測定データを測定された時系列に並べたものが図５である。脈拍データにおいてユーザの安静時脈拍値より大きなある閾値（ＨＲ１）をユーザの健康状態などに合わせて設定し、それを上回った時刻を“tl”，“t2”（502）などとしておく。さらに閾値を上回った際の脈拍データの増加率(微分係数)に対してある閾値“ThrDif(HR)”を設定し、それとの大小関係でその脈拍値の増大が心理的な原因によるものか、運動的な原因によるものかを判定する。
【００２７】
このような脈拍値が閾値とクロスした時刻は、ユーザにとって後で取り出す事が多いデータを含んでいる事が多いと考えられる。よってその時刻を中心とした設定された時間中に習得されるユーザの移動経路情報、運動状態情報、生命状況（バイタルサイン）情報、移動中の周囲環境情報に対して情報処理部（130）は重要であると判断し記録された情報に後でユーザが取り出す際に有用な電子的な印を図５における心理名称などに基づいた名称（501）を使って情報を付加する。ユーザはこれにより自身のバイタルサインに深く結び付けられたキーワードを参考にして、外部入出力部（140）を介して必要なデータ（例えば、外出先でなにか特別な経験をしたときの風景）を取り出すことが可能になる。
【００２８】
［第４の実施形態］
図６は、本発明の第４の実施形態に係るユーザの周囲環境情報における特異な状況を説明するための図である。なお、第４の実施形態においても第１の実施形態で説明したライフログ記録装置（100）を用いる。周囲環境センサー（114）の音響センサーが捉えたユーザ周囲の音響データのうち、音の音圧データを測定された時系列に並べたものが図６である。音圧データにおいて、ある閾値（ＡＲ１）をユーザの通常の周囲の音圧データなどに基づいて設定し、それを上回った時刻を“t１”，“t2”（602）などとしておく。さらに閾値を上回った際の音圧データの増加率(微分係数)に対してある閾値“ThrDif(AR)”を設定し、それとの大小関係でその音が突発音なのか、ある音圧レベルが一定時間続くのかなどを判断する。このような音圧値が閾値とクロスした時刻は、ユーザにとって後で取り出す事が多いデータを含んでいる事が多いと考えられる。よってその時刻を中心とした設定された時間中に習得されるユーザの移動経路情報、運運動状態情報、生命状況（バイタルサイン）情報、移動中の周囲環境情報に対して情報処理部（130）は重要であると判断し記録された情報に後でユーザが取り出す際に有用な電子的な印を図６における心理状態などに基づいた名称（601）を使って情報を付加する。ユーザはこれにより周囲の音圧に深く結び付けられたキーワードを参考にして、外部入出力部（140）を介して必要なデータ（例えば、外出先でなにか特別な経験をしたときの風景）を取り出すことが可能になる。
【００２９】
なお、音圧データ以外にも、音響センサーからのデータをフーリエ変換して取得する周波数特性などにおいても同様の処理が可能である。また、周囲環境センサー（114）の映像取得センサーの情報において周囲映像における空間周波数の急激な変化、明るさの変化、色の変化などについても、同様の方法で重要性を判定することでユーザの移動経路情報、運運動状態情報、生命状況（バイタルサイン）情報、移動中の周囲環境情報に有用な電子的な印を付加する事が可能である。さらに、周囲環境センサーの温・湿度センサーを対象とすれば、ユーザの周囲温・湿度の変化に関する情報より同様の事が可能である。
【００３０】
なお、前述の第１〜第４の実施形態においては、ユーザの移動経路情報、運動状態情報、生命状況（バイタルサイン）情報、及び移動中の周囲環境情報に対して情報処理部（130）が重要であるか否かを判断し記録された情報に後でユーザが取り出す際に有用な電子的な印をつけているが、ユーザの移動経路情報、運動状態情報、生命状況（バイタルサイン）情報、及び移動中の周囲環境情報の中の任意のものを複数組み合わせて、情報処理部（130）により重要であるか否かを判断し記録された情報に後でユーザが取り出す際に有用な電子的な印をつけるようにしてもよい。
【符号の説明】
【００３１】
１００…ライフログ記録再生装置、１１０…センサー部、１２０…指令入力部、１３０…情報処理部、１４０…外部入出力部、１５０…記録部
【図１】
2010279638.tif 000003
【図２】
2010279638.tif 000004
【図３】
2010279638.tif 000005
【図４】
2010279638.tif 000006
【図５】
2010279638.tif 000007
【図６】
2010279638.tif 000008